(57)【特許請求の範囲】
【請求項１】
互いに異なる特性を有するとともに互いに所定の距離をおいて配置された第１および第２アンテナと、
予め定められた子機へ前記第１アンテナから返信要求を送信し、前記返信要求に応じて前記子機から送信される電波を前記第１アンテナを介して受信し、受信した電波の強度を検知する第１強度検知手段と、
前記子機へ前記第１アンテナから返信要求を送信し、前記返信要求に応じて前記子機から送信される電波を前記第２アンテナを介して受信し、受信した電波の強度を検知する第２強度検知手段と、
前記子機へ前記第２アンテナから返信要求を送信し、前記返信要求に応じて前記子機から送信される電波を前記第１アンテナを介して受信し、受信した電波の強度を検知する第３強度検知手段と、
前記子機へ前記第２アンテナから返信要求を送信し、前記返信要求に応じて前記子機から送信される電波を前記第２アンテナを介して受信し、受信した電波の強度を検知する第４強度検知手段と、
前記子機を識別する識別子と、前記第１強度検知手段により検知された強度、前記第２強度検知手段により検知された強度、前記第３強度検知手段により検知された強度及び前記第４強度検知手段により検知された強度を対応付けて記憶する記憶手段と、
前記記憶手段に記憶されている識別子の子機と通信を行う場合、当該識別子に対応付けられて記憶されている最も高い強度を検知した際に電波を受信したアンテナを前記子機からの電波を受信するアンテナとし、前記最も高い強度を検知する際に前記子機へ前記返信要求を送信したアンテナを前記子機へ電波を送信するアンテナとして無線通信を行う通信手段と
を有する無線装置。
【請求項２】
前記第１アンテナは前記無線装置の筐体の前面部に配置され、前記第２アンテナは前記無線装置の筐体の背面部に配置されていることを特徴とする請求項１に記載の無線装置。
【請求項３】
前記第１アンテナはダイポール型であり、前記第２アンテナは逆Ｆ型であることを特徴とする請求項１または請求項２に記載の無線装置。
【発明の詳細な説明】
【技術分野】
【０００１】
本発明は、機器間で無線により通信を行う技術に関する。
【背景技術】
【０００２】
オーディオデータを親機から無線により子機へ送信し、子機でオーディオデータを再生するオーディオシステムが考案されている（特許文献１参照）。ケーブルで親機と子機とを接続する態様であると、親機から複数の子機へオーディオデータを送信する場合、複数のケーブルを部屋の中で引きまわすこととなり、ケーブルや子機の設置が非常に面倒となる。しかし、特許文献１に開示されたオーディオシステムのように無線によりオーディオデータを送信する構成であれば、複数のケーブルを引きまわす必要がないため、子機を部屋の任意の場所に容易に設置することができ、部屋の中の好きな場所で音楽を楽しむことが可能となる。
【特許文献１】特開２００４−１２８６５１号公報
【発明の開示】
【発明が解決しようとする課題】
【０００３】
さて、オーディオデータを送出する親機は、他のＡＶ機器との接続や、電源確保を容易とするために、他のＡＶ機器と一緒にＡＶラックの内部に設置するのが好ましい。しかしＡＶラックの中に親機を設置してしまうと、親機の筐体の上下左右がラックにより囲まれてしまうため、特にＡＶラックが金属製である場合には、子機との間で授受される電波がＡＶラックにより遮られてしまい、子機と通信を行える領域が狭くなるという問題が生じてしまう。
【０００４】
本発明は、上述した背景の下になされたものであり、無線通信により子機との通信を行う際に子機との通信可能領域を広範にする技術を提供することを目的とする。
【課題を解決するための手段】
【０００５】
上述した課題を解決するために本発明は、互いに異なる特性を有するとともに互いに所定の距離をおいて配置された第１および第２アンテナと、予め定められた子機へ前記第１アンテナから返信要求を送信し、前記返信要求に応じて前記子機から送信される電波を前記第１アンテナを介して受信し、受信した電波の強度を検知する第１強度検知手段と、前記子機へ前記第１アンテナから返信要求を送信し、前記返信要求に応じて前記子機から送信される電波を前記第２アンテナを介して受信し、受信した電波の強度を検知する第２強度検知手段と、前記子機へ前記第２アンテナから返信要求を送信し、前記返信要求に応じて前記子機から送信される電波を前記第１アンテナを介して受信し、受信した電波の強度を検知する第３強度検知手段と、前記子機へ前記第２アンテナから返信要求を送信し、前記返信要求に応じて前記子機から送信される電波を前記第２アンテナを介して受信し、受信した電波の強度を検知する第４強度検知手段と、前記子機を識別する識別子と、前記第１強度検知手段により検知された強度、前記第２強度検知手段により検知された強度、前記第３強度検知手段により検知された強度及び前記第４強度検知手段により検知された強度を対応付けて記憶する記憶手段と、前記記憶手段に記憶されている識別子の子機と通信を行う場合、当該識別子に対応付けられて記憶されている最も高い強度を検知した際に電波を受信したアンテナを前記子機からの電波を受信するアンテナとし、前記最も高い強度を検知する際に前記子機へ前記返信要求を送信したアンテナを前記子機へ電波を送信するアンテナとして無線通信を行う通信手段とを有する無線装置を提供する。
【０００６】
好ましい態様においては、前記第１アンテナを前記無線装置の筐体の前面部に配置し、前記第２アンテナを前記無線装置の筐体の背面部に配置するようにしてもよい。また、前記第１アンテナをダイポール型とし、前記第２アンテナを逆Ｆ型とするようにしてもよい。
【発明の効果】
【０００７】
本発明によれば、無線通信により子機との通信を行う際に子機との通信可能領域を広範にすることが可能となる。
【発明を実施するための最良の形態】
【０００８】
以下、図面を参照して本発明の実施形態について説明する。
［実施形態の構成］
図１は、本発明の実施形態に係るオーディオシステムの全体構成と、同オーディオシステムに係る配信装置および子機のハードウェア構成を示した図である。配信装置１０は、楽曲を表す楽曲データを無線通信により子機２０−１〜子機２０−３へ配信する装置であり、子機２０−１〜子機２０−３は配信装置１０から配信された楽曲データを受信し、バッファリングした楽曲データを再生する装置である。本実施形態においては、配信装置１０は、多数の子機にデータを配信することが可能となっているが、図１においては図面が繁雑になるのを防ぐため、３つの子機のみを図示している。また、子機２０−１〜子機２０−３の構成は各々同じとなっているため、図１においては子機２０−１についてのみブロック図を示し、子機２０−２および子機２０−３についてはブロック図の例示を省略している。また、子機２０−１〜子機２０−３の構成は各々同じとなっているため、以下の説明において個々の子機を区別する必要の無い場合には子機２０と称する。
【０００９】
（配信装置１０の構成）
次に配信装置１０の構成について説明する。図１に示したように、アンテナ１０８Ａおよびアンテナ１０８Ｂを除く配信装置１０の各部は、バス１０１に接続されており、このバス１０１を介して各部間でデータの授受を行う。
無線通信部１０４は、無線通信により送信および受信を行う通信インターフェースであり、例えばＩＥＥＥ８０２．１１に準拠した通信方式で通信を行う。なお、無線通信の方式は、ＩＥＥＥ８０２．１１に限定されるものではなく、他の通信方式であってもよい。無線通信部１０４は制御部１０２の制御の下、アンテナ１０８Ａとアンテナ１０８Ｂのいずれかを無線通信部１０４に接続して無線通信を行う。また無線通信部１０４は、受信した電波の強度を測定する機能を備えており、受信した電波の強度を示す強度データを制御部１０２へ出力する。
【００１０】
アンテナ１０８Ａおよびアンテナ１０８Ｂは、無線通信部１０４が無線通信を行う際に使用するアンテナである。アンテナ１０８Ａは、例えば板状の逆Ｆ型アンテナであり、電波の送信と受信とを水平偏波で行う。なお、アンテナ１０８Ａの接地（ＧＮＤ）部分と、配信装置１０の金属製の筐体とは同一電位に保たれている。アンテナ１０８Ｂは、ダイポールアンテナであり、電波の送信と受信とを垂直偏波で行う。
【００１１】
室内において電波により通信を行う場合、アンテナの特性は全方向に渡って均等であることが望ましい。配信装置１０の背面側にのみ垂直偏波のダイポールアンテナを配置した場合、垂直偏波面では略全方向に渡って均等な指向特性が得られるが、水平偏波面では配信装置１０の筐体の影響により均等な指向特性が得にくくなる。水平偏波面でも良好な指向特性を得られるようにするために、配信装置１０の背面側に水平偏波のアンテナを配置すれば指向特性は改善されるが、水平偏波のアンテナを配信装置１０の外側に配置することは物理的に難しく現実的ではない。このため、本実施形態においては、水平偏波の逆Ｆ型アンテナを配信装置１０の前面部に配置している。これにより、配信装置１０の前方側においては、水平偏波面で良好な指向特性が確保される。具体的には、図２に示したようにアンテナを配置する。
【００１２】
図２は、配信装置１０におけるアンテナ１０８Ａおよびアンテナ１０８Ｂの配置位置を示した図である。図２に示したように配信装置１０の筐体は直方体をしており、筐体の背面部には、他のＡＶ機器との接続端子や電源ケーブル等が配置され、筐体の前面部には、配信装置１０を操作するための各種操作子や、各種情報を表示する表示部１０６が配置されている。アンテナ１０８Ａは、配信装置１０の筐体の前面部内側に配設されており、アンテナ１０８Ｂは、配信装置１０の筐体の背面部に配設されている。アンテナ１０８Ａとアンテナ１０８Ｂとの間の距離は、λ／２以上（λ：通信に使用する電波の波長）離れており、アンテナ１０８Ｂの利得は、アンテナ１０８Ａより３〜６ｄＢほど大となっている。また、アンテナ１０８Ａから出力される電波の偏波面と、アンテナ１０８Ｂから出力される電波の偏波面は９０度の角度で交差するようになっている。また、アンテナ１０８Ｂは無指向性となっているが、アンテナ１０８Ａは、指向性を有しており、その方向は配信装置１０の前方方向となっている。
【００１３】
ＨＤＤ（Hard Disk Drive）装置１０３は、子機２０へ配信する楽曲データや、アンテナ選択テーブルＴＢ１、配信装置１０を制御するための各種データ等を記憶している。図３は、ＨＤＤ装置１０３が記憶するアンテナ選択テーブルＴＢ１のフォーマットを例示した図である。このアンテナ選択テーブルＴＢ１は、「識別子」というフィールドと、「送信アンテナＡ」というフィールドと、「送信アンテナＢ」というフィールドとを有している。また、「送信アンテナＡ」および「送信アンテナＢ」というフィールドは、さらに「受信アンテナＢ」というフィールドと、「受信アンテナＢ」というフィールドを有している。これらのフィールドにおいて、「識別子」フィールドには、各子機を一意に識別する識別子が格納される。また、「受信アンテナＡ」フィールドにはアンテナ１０８Ａで受信した電波の強度を表す強度データが格納され、「受信アンテナＢ」フィールドにはアンテナ１０８Ｂで受信した電波の強度を表す強度データが格納される。
なお、本実施形態においては、強度データは１〜５までの値となる。強度データの値のうち、「１」は電波を受信していないことを示している。また、「２」は通信エラーが多く通信不能なレベルを示し、「３」は通信エラーが多いが通信不能な程ではないレベルを示している。また、「４」は通信エラーが少ないレベルを示し、「５」は通信エラーが殆ど無いレベルを示す。
【００１４】
再生装置１０７は、ＣＤ（Compact Disk）やＤＶＤ（Digital Versatile Disk）等の記録メディアに記録された楽曲データを読み出す装置である。再生装置１０７により読み出された楽曲データは、ＨＤＤ装置１０３に記憶される。表示部１０６は、例えば、液晶ディスプレイ装置等の表示装置を具備しており、制御部１０２の制御の下、文字やグラフィック等の各種表示を行う。操作部１０５は各種キーを具備しており、キーの押下等の各種操作に応じて操作内容に対応した信号を制御部１０２へ出力する。
【００１５】
制御部１０２は、ＣＰＵ（Central Processing Unit）、ＲＯＭ（Read Only Memory）、ＲＡＭ（Random Access Memory）を備えている。ＲＯＭに記憶されているプログラムがＣＰＵにより実行されると、制御部１０２により各部が制御され、子機２０から送信された電波の強度を検知して記憶する機能や、子機２０と通信を行うのに適したアンテナをアンテナ１０８Ａとアンテナ１０８Ｂとのいずれかから選択する機能、楽曲データを子機２０へ配信する機能が実現する。
【００１６】
（子機２０の構成）
次に子機２０の構成について説明する。図１に示したように、子機２０の各部は、バス２０１に接続されており、このバス２０１を介して各部間でデータの授受を行う。無線通信部２０４は、無線通信により送信および受信を行う通信インターフェースであり、アンテナ２０８を介して例えばＩＥＥＥ８０２．１１に準拠した通信方式で通信を行う。そして、配信装置１０から送信される楽曲データの受信や各種データの送信を行う。
【００１７】
表示部２０６は、例えば、液晶ディスプレイ装置等の表示装置を具備しており、制御部２０２の制御の下、文字やグラフィック等の各種表示を行う。操作部２０５は各種キーを具備しており、キーの押下等の各種操作に応じて操作内容に対応した信号を制御部２０２へ出力する。メモリ２０３は、アンテナ２０８を介して無線通信部２０４で受信された楽曲データを一時記憶する。再生部２０７は、アンプやスピーカ、ヘッドフォン端子を備えており（いずれも図示略）、メモリ２０３から供給される楽曲データを再生し、楽曲データが表す楽音をスピーカまたはヘッドフォン端子に接続されたヘッドフォンから出力する。
【００１８】
制御部２０２は、ＣＰＵ、ＲＯＭ、ＲＡＭ、および不揮発性メモリを備えている。不揮発性メモリには、各子機を一意に識別する識別子が記憶されている。制御部２０２においては、ＲＯＭに記憶されているプログラムがＣＰＵにより実行されると、制御部２０２により各部が制御され、配信装置１０と通信を行う機能や、配信装置１０から送信された楽曲データを受信して記憶する機能、記憶した楽曲データを再生する機能等の各種機能が実現する。
【００１９】
［実施形態の動作］
次に本発明の実施形態に係る配信装置１０と子機２０の動作について説明する。なお、以下の説明においては、配信装置１０が３つの子機２０−１〜２０−３へデータを配信する場合を想定して動作の説明を行う。また子機２０−１〜２０−３の識別子が操作部１０５から入力され、入力された識別子がアンテナ選択テーブルＴＢ１に既に格納されている場合を想定して動作の説明を行う。
【００２０】
まず、制御部１０２は、子機２０から送信される電波の強度を検知して記憶する処理を子機２０へ楽曲データを配信する前に行う。制御部１０２は、まずカウンタＮの値を初期化（Ｎ＝１）する（図４：ステップＳ１０）。次に制御部１０２は、無線通信部１０４を制御し、アンテナ１０８Ａと無線通信部１０４とを接続する（ステップＳ１１）。制御部１０２は、アンテナ選択テーブルＴＢ１のＮ行目（ＮはカウンタＮと同じ値）に格納されている子機２０−１の識別子「０１」を読み出し（ステップＳ１２）、読み出した識別子を含む返信要求メッセージを、無線通信部１０４からアンテナ１０８Ａを介して送信する（ステップＳ１３）。アンテナ１０８Ａから出力された返信要求メッセージは、子機２０−１のアンテナ２０８を介して無線通信部２０４にて受信される。無線通信部２０４にて返信要求メッセージが受信されると、制御部２０２は、受信したメッセージに含まれている識別子と、制御部２０２の不揮発性メモリに記憶されている識別子が一致するか否かを判断する。ここで、識別子が一致した場合、制御部２０２は、返信要求メッセージに対する応答メッセージを無線通信部２０４からアンテナ２０８を介して送信する。なお、識別子が一致しない場合には、制御部２０２は応答メッセージに送信を行わない。このため、この時点では子機２０−２および子機２０−３からは応答メッセージは送信されない。
【００２１】
アンテナ２０８から出力された応答メッセージは、アンテナ１０８Ａを介して無線通信部１０４にて受信される（ステップＳ１４）。無線通信部１０４にて応答メッセージが受信されると、応答メッセージ受信時の受信電波の強度が検知され、検知した電波の強度を示す強度データが制御部１０２へ出力される。なお、無線通信部１０４は一定時間、応答メッセージを受信しなかった場合、値が「１」の強度データを制御部１０２へ出力する。また、電波を受信したことは検知したが、通信エラーが多くて通信を行うことができなかった場合には、値が「２」の強度データを制御部１０２へ出力する。制御部１０２は、この強度データが入力されると、「送信アンテナＡ」フィールドの「受信アンテナＡ」の列であって、返信要求メッセージと共に送信された識別子「０１」が格納されている行のセルに強度データを格納する（ステップＳ１５）。
【００２２】
次に制御部１０２は、読み出した識別子「０１」を含む返信要求メッセージを、無線通信部１０４からアンテナ１０８Ａを介して送信する（ステップＳ１６）。そしてこの後、無線通信部１０４を制御してアンテナ１０８Ｂと無線通信部１０４とを接続し（ステップＳ１７）、子機１０−１から送信される応答メッセージを、アンテナ１０８Ｂを介して無線通信部１０４で受信する（ステップＳ１８）。無線通信部１０４にて応答メッセージが受信されると、応答メッセージ受信時の受信電波の強度が検知され、検知した電波の強度を示す強度データが制御部１０２へ出力される。制御部１０２は、この強度データが入力されると、「送信アンテナＡ」フィールドの「受信アンテナＢ」の列であって、返信要求メッセージと共に送信された識別子「０１」が格納されている行のセルに強度データを格納する（ステップＳ１９）。
【００２３】
次に制御部１０２は、読み出した識別子「０１」を含む返信要求メッセージを、アンテナ１０８Ｂを介して無線通信部１０４から送信し（ステップＳ２０）、子機２０−１から送信される応答メッセージを、アンテナ１０８Ｂを介して無線通信部１０４で受信する（ステップＳ２１）。無線通信部１０４にて応答メッセージが受信されると、応答メッセージ受信時の受信電波の強度が検知され、検知した電波の強度を示す強度データが制御部１０２へ出力される。制御部１０２は、この出力された強度データが入力されると、「送信アンテナＢ」フィールドの「受信アンテナＢ」の列であって、返信要求メッセージと共に送信された識別子「０１」が格納されている行のセルに強度データを格納する（ステップＳ２２）。
【００２４】
次に制御部１０２は、読み出した識別子「０１」を含む返信要求メッセージを、アンテナ１０８Ｂを介して無線通信部１０４から送信する（ステップＳ２３）。そしてこの後、無線通信部１０４を制御してアンテナ１０８Ａと無線通信部１０４とを接続し（ステップＳ２４）、子機１０−１から送信される応答メッセージを、アンテナ１０８Ａを介して無線通信部１０４で受信する（ステップＳ２５）。無線通信部１０４にて応答メッセージが受信されると、応答メッセージ受信時の受信電波の強度が検知され、検知した電波の強度を示す強度データが制御部１０２へ出力される。制御部１０２は、この強度データが入力されると、「送信アンテナＢ」フィールドの「受信アンテナＡ」の列であって、返信要求メッセージと共に送信された識別子「０１」が格納されている行のセルに強度データを格納する（ステップＳ２６）。
【００２５】
次に制御部１０２は、カウンタＮに１を加算する（ステップＳ２７）。そして制御部１０２は、アンテナ選択テーブルＴＢ１のＮ行目に格納されている識別子を読み出す。ここで、Ｎ行目に識別子が格納されていない場合には（ステップＳ２８；ＮＯ）、制御部１０２は処理を終了する。一方、Ｎ行目に識別子が格納されていた場合には（ステップＳ２８；ＹＥＳ）、ステップＳ１１へ処理の流れを戻し、ステップＳ１１〜ステップＳ２８の処理を再度行う。ステップＳ１１〜ステップＳ２８の処理を繰り返すことにより、子機毎にアンテナ１０８Ａから電波を送信してアンテナ１０８Ａで電波を受信した時の受信電波強度と、アンテナ１０８Ａから電波を送信してアンテナ１０８Ｂで電波を受信した時の受信電波強度と、アンテナ１０８Ｂから電波を送信してアンテナ１０８Ｂで電波を受信した時の受信電波強度と、アンテナ１０８Ｂから電波を送信してアンテナ１０８Ａで電波を受信した時の受信電波強度とがアンテナ選択テーブルＴＢ１に格納される。
【００２６】
配信装置１０は、アンテナ選択テーブルＴＢ１の各セルに強度データ（受信電波強度）を格納した後、子機２０と通信を行う場合には、アンテナ選択テーブルＴＢ１に格納された強度データに基づいて、通信に使用するアンテナの選択を行う。例えば、図３に例示したように強度データがアンテナ選択テーブルＴＢ１に格納された場合、識別子が「０１」である子機２０−１との通信では、アンテナ１０８Ａから送信を行ってアンテナ１０８Ａで受信を行う時、受信した電波の強度が最も強くなっている。このため、配信装置１０は、子機２０−１へ電波を送信する際にはアンテナ１０８Ａを用いて送信を行い、子機２０−１から送信された電波の受信を行う際にはアンテナ１０８Ａを用いて受信を行う。一方、識別子が「０３」である子機２０−３との通信では、アンテナ１０８Ｂから送信を行ってアンテナ１０８Ｂで受信を行う時、受信した電波の強度が最も強くなっている。このため、配信装置１０は、子機２０−３へ電波を送信する際にはアンテナ１０８Ｂを用いて送信を行い、子機２０−３から送信された電波の受信を行う際にはアンテナ１０８Ｂを用いて受信を行う。
【００２７】
以上説明したように本実施形態によれば、配信装置１０が子機２０と通信を行う際には、各子機との通信を行うのに最適なアンテナが選択されるので、より良い通信状態で子機２０へ楽曲データを送信することができる。また、配信装置１０を金属製のＡＶラック内に設置しても、各子機との通信を行うのに最適なアンテナが選択されるので、子機２０との通信を確実に行うことが可能となり、子機との通信を行う際に子機との通信可能領域を広範にすることができる。
【００２８】
［変形例］
以上、本発明の実施形態について説明したが、本発明は上述した実施形態に限定されることなく、他の様々な形態で実施可能である。例えば、上述の実施形態を以下のように変形して本発明を実施してもよい。
【００２９】
上述した実施形態においては、返信要求メッセージを送信したアンテナでのみ応答メッセージを受信し、受信した電波の強度をアンテナ選択テーブルＴＢ１に格納するようにしてもよい。また、ステップＳ１０〜ステップＳ２８の処理を一定の周期で行い、アンテナ選択テーブルＴＢ１に格納される強度データを一定の周期で更新するようにしてもよい。
【００３０】
アンテナ１０８Ｂは配信装置１０から取り外し可能な形状とし、接続ケーブルによって配信装置１０へ接続するようにしてもよい。この態様によれば、アンテナ１０８Ｂを配信装置１０から離れた場所に設置することができるため、配信装置１０は、より良い通信状態で子機２０と通信を行うことが可能となる。
【００３１】
アンテナ１０８Ａで受信した時の電波の強度と、アンテナ１０８Ｂで受信した時の電波の強度とが同じである場合、予め定められた一方のアンテナを強制的に選択するようにしてもよい。
【００３２】
上述した実施形態においては、子機毎に通信に使用するアンテナを切替えているが、予め定めたいずれか一方のアンテナで通信を開始し、通信を行ったアンテナで通信エラーが一定時間連続した場合にはもう一方のアンテナを選択して通信を行うことを繰り返す自動選択モードと、子機毎にアンテナを切替えるモードとをユーザが選択できるようにしてもよい。
【００３３】
上述した実施形態においては、子機毎に通信に使用するアンテナを切替えているが、強度データに基づいていずれか一方のアンテナを選択し、選択したアンテナのみで通信を行うようにしてもよい。
例えば、図５（ａ）に示したように６つの部屋がある場合に、各部屋に子機を配置すると共に、アンテナ１０８Ａが部屋１の方向を向くように配信装置１０を配置し、アンテナ選択テーブルＴＢ１に図６（ａ）に示したように強度データが格納された場合を想定する。この場合、配信装置１０は、識別子が「０４」の子機と識別子が「０５」の子機に対してはアンテナ１０８Ａを使用して通信が行えていない。よって、配信装置１０は送信を行うアンテナをアンテナ１０８Ｂに固定し、受信を行うアンテナもアンテナ１０８Ｂに固定する。
【００３４】
また、例えば、図５（ｂ）に示したように６つの部屋がある場合に、部屋１、部屋４、部屋５に子機を配置すると共に、アンテナ１０８Ａが部屋１の方向を向くように配信装置１０を配置し、アンテナ選択テーブルＴＢ１に図６（ｂ）に示したように強度データが格納された場合を想定する。この場合、子機は全て配信装置１０の前方に位置しているため、受信した電波の強度はアンテナ１０８Ａを使用した時の方が高くなっている。よって、この場合には、配信装置１０は、送信を行うアンテナをアンテナ１０８Ａに固定し、受信を行うアンテナもアンテナ１０８Ａに固定する。なお、図６（ｂ）においては、各子機において、アンテナ１０８Ａで電波を受信した時とアンテナ１０８Ｂで電波を受信した時の強度データの値の差が「１」となっている。このような場合には、上述した自動選択モードに移行し、まずアンテナ１０８Ａで通信を開始するようにしてもよい。
【００３５】
また、例えば、図５（ｃ）に示したように６つの部屋がある場合に、各部屋に子機を配置し、金属製のラックに配信装置１０を格納し、アンテナ１０８Ａが部屋２の方向を向くように配信装置１０を配置した場合を想定する。ここで、アンテナ選択テーブルＴＢ１に図６（ｃ）に示したように強度データが格納された場合、子機はアンテナ１０８Ｂを使用して通信が行えていない。この場合、配信装置１０は送信を行うアンテナをアンテナ１０８Ａに固定し、受信を行うアンテナもアンテナ１０８Ａに固定する。
【００３６】
上述した実施形態において、新たに子機を購入して配置した場合には、購入した子機の識別子を新たに入力し、アンテナ選択テーブルＴＢ１を拡張するようにしてもよい。また、新たに識別子を入力してアンテナ選択テーブルＴＢ１が拡張された場合には、図４に示した処理を実行するようにしてもよい。
【図面の簡単な説明】
【００３７】
【図１】本発明の実施形態に係るオーディオシステムの全体構成図である。
【図２】同実施形態に係る配信装置１０におけるアンテナ配置を説明する図である。
【図３】アンテナ選択テーブルＴＢ１のフォーマットを示す図である。
【図４】制御部１０２が行う処理の流れを示したフローチャートである。
【図５】子機２０の配置例を示した図である。
【図６】アンテナ選択テーブルＴＢ１への強度データの格納例を示した図である。
【符号の説明】
【００３８】
１０・・・配信装置、１０２・・・制御部、１０４・・・無線通信部、１０８Ａ，１０８Ｂ・・・アンテナ、２０，２０−１〜２０−３・・・子機、２０２・・・制御部、２０４・・・無線通信部、２０８・・・アンテナ。
【図１】
0004618041.tif 000002
【図２】
0004618041.tif 000003
【図３】
0004618041.tif 000004
【図４】
0004618041.tif 000005
【図５】
0004618041.tif 000006
【図６】
0004618041.tif 000007